(57)【特許請求の範囲】
【請求項１】
縦方向及び横方向と、肌対向面及びその反対側に位置する非肌対向面とを有し、前ウエスト域と、後ウエスト域と、前記前後ウエスト域間に位置するクロッチ域とを画定するシャーシと、前記シャーシの前記肌対向面側に配置された吸液構造体と、前記前後ウエスト域の両側縁部を連結して画成されるウエスト開口及び一対のレッグ開口とを含むパンツ型の着用物品において、
前記シャーシは、前記後ウエスト域において前記縦方向に離間する複数条の後ウエスト弾性体が伸長状態で前記横方向へ収縮可能に取り付けられた後ウエスト弾性域と、前記後ウエスト域の一部と前記クロッチ域の前記後ウエスト域側の部分とによって形成された臀部対応域とを有し、
前記吸液構造体は、吸収性コアと、前記横方向に離間して前記縦方向に延びる一対の防漏カフとを含み、
前記防漏カフは、前記吸液構造体に接合される近位縁部と、前記吸液構造体から離間可能な遠位縁部と、前記遠位縁部において伸長状態で前記縦方向に収縮可能に取り付けられた第１カフ弾性体と、前記遠位縁部より前記近位縁部側に伸長状態で前記縦方向に収縮可能に取り付けられた第２カフ弾性体とを有し、
前記臀部対応域は、前記後ウエスト域の前記両側縁部の、前記クロッチ域に隣接する内端部間において前記横方向の中央部が前記クロッチ域側へ向かって湾曲状に延びて前記吸液構造体と平面視において重なる臀部対応弾性体と、前記臀部対応弾性体が取り付けられた臀部弾性部と、前記後ウエスト弾性体のうち最も前記クロッチ域側に位置する最内側後ウエスト弾性体、前記臀部対応弾性体及び前記第２カフ弾性体に囲まれた臀部カバー部とを有し、
前記臀部弾性部は、前記横方向に直状に延びる直状部と、前記吸収性コアの前記横方向外側に位置し、前記レッグ開口に沿って延びる一対の傾斜部とを有し、
前記臀部カバー部は、前記縦方向における最大寸法が、前記後ウエスト域の側縁部の前記縦方向における寸法の６０〜８０％の大きさであり、
前記第２カフ弾性体は、前記第１カフ弾性体よりも伸長応力が低くなるように配置され、前記最内側後ウエスト弾性体と前記縦方向において離間しており、
少なくとも一条の前記第２カフ弾性体は、平面視において、前記吸収性コアの不存在領域に配置され、
前記傾斜部の所定幅における伸長応力、及び、前記第２カフ弾性体による弾性域の所定幅における伸長応力は、前記吸収性コアの前記横方向外側に位置する前記最内側後ウエスト弾性体による弾性域の所定幅における伸長応力よりも低いことを特徴とする前記着用物品。
【請求項２】
前記臀部対応弾性体は、前記最内側後ウエスト弾性体と前記縦方向において離間している請求項１に記載の着用物品。
【請求項３】
前記前ウエスト域は、複数条の前ウエスト弾性体が伸長状態で前記横方向へ収縮可能に取り付けられた前ウエスト弾性域を有し、
前記前ウエスト弾性域のうち最も前記クロッチ域側に位置する最内側前ウエスト弾性体は、前記最内側後ウエスト弾性体よりも前記レッグ開口側に位置する請求項１または２に記載の着用物品。
【請求項４】
前記臀部対応弾性体は、前記直状部の伸長応力が、前記傾斜部の伸長応力よりも低くなるように配置される請求項１〜３のいずれかに記載の着用物品。
【請求項５】
前記後ウエスト域は、前記ウエスト開口側に位置する後外側弾性域と、前記クロッチ域側に位置し、前記最内側後ウエスト弾性体を含む後内側弾性域と、前記後外側弾性域と前記後内側弾性域との間に位置する後中間弾性域とを有し、
前記後ウエスト弾性体は、前記後内側弾性域の伸長応力が、前記後中間弾性域の伸長応力よりも高くなるように配置される請求項１〜４のいずれかに記載の着用物品。
【請求項６】
前記後内側弾性域において隣接する前記後ウエスト弾性体の離間距離は、隣接する前記臀部対応弾性体の離間距離よりも大きい請求項５に記載の着用物品。
【請求項７】
前記前後ウエスト弾性体のうち少なくとも一方のウエスト弾性体が平面視において前記吸収性コアと重なる領域には、前記一方のウエスト弾性体の収縮力が実質的に発揮されていない非弾性領域が画定される請求項３に記載の着用物品。
【請求項８】
前記臀部対応弾性体が平面視において前記吸収性コアと重なる領域には、前記臀部対応弾性体の収縮力が実質的に発揮されていない非弾性領域が画定される請求項１〜７のいずれかに記載の着用物品。
【発明の詳細な説明】
【技術分野】
【０００１】
本開示は、パンツ型の着用物品に関し、より詳しくは、使い捨て失禁パンツ、使い捨てのトイレット・トレーニングパンツ、使い捨ておむつ等のパンツ型の着用物品、及びそれらのほぼ同様な構成を有するその他の物品に関する。
【背景技術】
【０００２】
従来、シャーシと、該シャーシの肌対向面に取り付けられた吸液構造体と、一対の防漏カフとを備えたパンツ型の着用物品は公知である。例えば、特許文献１には、前後ウエスト域及びクロッチ域を画定するシャーシと、該シャーシの肌対向面に取り付けられた吸液構造体と、該吸液構造体の両側に位置する一対の防漏カフとを備え、後ウエスト域の一部とクロッチ域の後ウエスト域側の部分とによって形成された臀部対応域を有するパンツ型の着用物品が開示されている。この着用物品では、後ウエスト域に、横方向に延びる複数条の後ウエスト弾性体が配置され、臀部対応域に、横方向の中央部がクロッチ域側へ向かって湾曲した臀部対応弾性体が配置されるとともに、吸液構造体から離間可能な防漏カフの自由側縁部に、複数条のカフ弾性体が配置されている。臀部対応域において吸液構造体の両側には、後ウエスト弾性体のうちクロッチ域側に位置する最内側後ウエスト弾性体と、臀部対応弾性体とによって囲まれた臀部カバー部が形成されている。
【先行技術文献】
【特許文献】
【０００３】
【特許文献１】特開２０１３−２５５７７７号公報
【発明の概要】
【発明が解決しようとする課題】
【０００４】
特許文献１に開示された着用物品によれば、臀部対応弾性体によって、臀部カバー部を着用者の臀部に当接させることができるとともに、防漏カフの自由側縁部に配置されたカフ弾性体によって防漏カフを起立させて、体液の横漏れを防止することができる。
【０００５】
しかし、特許文献１における着用物品では、臀部カバー部を着用者の臀部に沿わせることができるが、臀部カバー部に膨らみを持たせて臀部を包み込むように覆うことができない。特に、複数条のカフ弾性体は、防漏カフの自由側縁部にのみ配置され、臀部カバー部に作用するものではないため、吸液構造体に近接する臀部カバー部の内側部は平坦に形成されて、立体形状を呈することがない。また、特許文献１における着用物品では、臀部対応弾性体の離間間隔が後ウエスト弾性体の離間間隔よりも狭く、かつ、臀部弾性部の所定幅における伸長応力が最内側後ウエスト弾性体による弾性域の所定幅における伸長応力よりも高くなっているために、レッグ開口が狭くなり、足を通し難くなる。
【０００６】
そこで、本発明の目的は、従来の技術の改良であって、着用時において足をレッグ開口に通しやすく、かつ、臀部カバー部を立体的に形成して臀部を覆うことができるパンツ型の着用物品の提供にある。
【課題を解決するための手段】
【０００７】
上記課題を達成するための、本発明は、縦方向及び横方向と、肌対向面及びその反対側に位置する非肌対向面とを有し、前ウエスト域と、後ウエスト域と、前記前後ウエスト域間に位置するクロッチ域とを画定するシャーシと、前記シャーシの前記肌対向面側に配置された吸液構造体と、前記前後ウエスト域の両側縁部を連結して画成されるウエスト開口及び一対のレッグ開口とを含むパンツ型の着用物品の改良にある。
【０００８】
本発明は、前記シャーシは、前記後ウエスト域において前記縦方向に離間する複数条の後ウエスト弾性体が伸長状態で前記横方向へ収縮可能に取り付けられた後ウエスト弾性域と、前記後ウエスト域の一部と前記クロッチ域の前記後ウエスト域側の部分とによって形成された臀部対応域とを有し、前記吸液構造体は、吸収性コアと、前記横方向に離間して前記縦方向に延びる一対の防漏カフとを含み、前記防漏カフは、前記吸液構造体に接合される近位縁部と、前記吸液構造体から離間可能な遠位縁部と、前記遠位縁部において伸長状態で前記縦方向に収縮可能に取り付けられた第１カフ弾性体と、前記遠位縁部より前記近位縁部側に伸長状態で前記縦方向に収縮可能に取り付けられた第２カフ弾性体とを有し、前記臀部対応域は、前記後ウエスト域の前記両側縁部の、前記クロッチ域に隣接する内端部間において前記横方向の中央部が前記クロッチ域側へ向かって湾曲状に延びて前記吸液構造体と平面視において重なる臀部対応弾性体と、前記臀部対応弾性体が取り付けられた臀部弾性部と、前記後ウエスト弾性体のうち最も前記クロッチ域側に位置する最内側後ウエスト弾性体、前記臀部対応弾性体及び前記第２カフ弾性体に囲まれた臀部カバー部とを有し、前記臀部弾性部は、前記横方向に直状に延びる直状部と、前記吸収性コアの前記横方向外側に位置し、前記レッグ開口に沿って延びる一対の傾斜部とを有し、前記臀部カバー部は、前記縦方向における最大寸法が、前記後ウエスト域の側縁部の前記縦方向における寸法の６０〜８０％の大きさであり、前記第２カフ弾性体は、前記第１カフ弾性体よりも伸長応力が低くなるように配置され、前記最内側後ウエスト弾性体と前記縦方向において離間しており、少なくとも一条の前記第２カフ弾性体は、平面視において、前記吸収性コアの不存在領域に配置され、前記傾斜部の所定幅における伸長応力、及び、前記第２カフ弾性体による弾性域の所定幅における伸長応力は、前記吸収性コアの前記横方向外側に位置する前記最内側後ウエスト弾性体による弾性域の所定幅における伸長応力よりも低いことを特徴とする。
【発明の効果】
【０００９】
本発明に係るパンツ型の着用物品の一つ以上の実施形態によれば、防漏カフの遠位縁部より近位縁部側に第２カフ弾性体が配置されており、臀部カバー部が、最内側後ウエスト弾性体、臀部対応弾性体及び第２カフ弾性体によって囲まれているため、臀部カバー部の内側部を収縮させて臀部カバー部を立体的に形成することができる。また、臀部弾性部の所定幅における伸長応力及び第２カフ弾性体による弾性域の所定幅における伸長応力は、最内側後ウエスト弾性体による弾性域の所定幅における伸長応力よりも低いため、着用者の腰回りを安定的に保持しつつ、臀部を強く締め付けないように柔軟に覆うことができる。また、臀部弾性部の所定幅における伸長応力が、最内側後ウエスト弾性体による弾性域の所定幅における伸長応力よりも低いため、レッグ開口を広くして足を通しやすくすることができる。
【図面の簡単な説明】
【００１０】
図面は、本開示に係る本発明の特定の実施の形態を示し、発明の不可欠な構成ばかりでなく、選択的及び好ましい実施の形態を含む。
【図１】本開示に係るパンツ型の着用物品の一例として示す、第１実施形態におけるパンツ型の使い捨ておむつの裏面側から見た斜視図。
【図２】各弾性体の最大伸長時（弾性部材の収縮作用によるギャザーがなくなる程度）まで縦方向及び横方向に伸展したおむつの一部破断展開平面図。
【図３】おむつの一部破断分解斜視図。
【図４】図２のＩＶ−ＩＶ線に沿う模式的断面図。
【図５】シャーシの平面図。
【図６】図２で示す、一点鎖線ＶＩで囲んだ領域の部分拡大図。
【図７】（ａ）：おむつの着用状態における、背面の側方から視た斜視図。（ｂ）：ＶＩＩｂ−ＶＩＩ線に沿う模式的断面図。
【図８】第２実施形態における図５と同様のシャーシの平面図。
【発明を実施するための形態】
【００１１】
＜第１実施形態＞
下記の実施の形態は、本開示に係る本発明の一例である、図１〜４に示すパンツ型の着用物品に関し、発明の不可欠な構成ばかりではなく、選択的及び好ましい構成を含む。図２において、後述する各弾性体は、その収縮力に抗して横方向Ｘ及び縦方向Ｙへの収縮力により、該各弾性体が取り付けられた部材に生じたギャザーが自然な視覚によって実質的に無くなっているように見える程度にまで伸長された状態にある。
【００１２】
図１〜３を参照すると、本発明に係るパンツ型の着用物品の一例である使い捨てのパンツ型おむつ１０は、互いに直交する縦方向Ｙ及び横方向Ｘと、肌対向面及びその反対側の非肌対向面と、縦方向Ｙの長さ寸法を二等分する縦軸Ｐと、横方向Ｘの長さ寸法を二等分する横軸Ｑとを有し、縦軸Ｐに関してほぼ対称であり、かつ、前ウエスト域１１と、後ウエスト域１２と、前ウエスト域１１及び後ウエス域１２の間に位置するクロッチ域１３とを含む。
【００１３】
おむつ１０は、ベース形態をなすシャーシ１４と、シャーシ１４の肌対向面に位置し、クロッチ域１３を中心として縦方向Ｙへ延びる吸液構造体１５とをさらに含む。シャーシ１４は、クロッチ域１３を画定する両側縁部が凹曲状を有し、クロッチ域１３の最も幅狭の部分は横軸Ｑよりも前ウエスト域１１側へ偏位している。前ウエスト域１１の前側縁部１１ａ，１１ｂと後ウエスト域１２の後側縁部１２ａ，１２ｂとは、おむつ１０の前後方向において互いに対向する側縁部が互いに縦方向Ｙへ断続的に延びるサイドシーム２２によって連結されることによって、ウエスト開口２３及び一対のレッグ開口２４が画定される。サイドシーム２２では、例えば熱又は超音波によるエンボス／デボス加工等の公知の手段によって互いに重なり合うシートが融着される。
【００１４】
シャーシ１４は、肌対向面に位置し、前後ウエスト域１１，１２及びクロッチ域１３を一連に画定する例えば繊維不織布製のベースシート２５と、非肌対向面側に位置し、縦方向Ｙにおいて互いに離間対向する、例えば繊維不織布製の前ウエストシート２６及び後ウエストシート２７とをさらに含む。
【００１５】
＜ベースシート＞
ベースシート２５は、縦方向Ｙにおいて離間対向する第１及び第２端縁２５ａ，２５ｂと、横方向Ｘにおいて離間対向する両側縁２５ｃ，２５ｄとを有する。両側縁２５ｃ，２５ｄは、前後ウエスト域１１，１２における直状部位と、クロッチ域１３において、縦軸Ｐに向かって後ウエスト域１２側から前ウエスト域１１側により深く凸曲する曲状部位から形成される。
【００１６】
＜前ウエストシート＞
前ウエストシート２６は、前ウエスト域１１とクロッチ域１３の一部とを形成する略台形状であって、横方向Ｘへ延びる中間内端縁２６ａ及び外端縁２６ｂと、縦方向Ｙへ延びる両外側縁２６ｃ，２６ｄと、両外側縁２６ｃ，２６ｄと中間内端縁２６ａとを結ぶ両側内端縁２６ｅ，２６ｆとから形成される。両側内端縁２６ｅ，２６ｆは、外側縁２６ｃ，２６ｄから横方向Ｘへ直状に延びる直状部位と、該直状部位から中間内端縁２６ａに延びる曲状部位とを有する。前ウエストシート２６は、両外側縁２６ｃ，２６ｄ間において横方向Ｘへ延びる矩形状の主体部２９と、主体部２９よりも幅狭であって、両側内端縁２６ｅ，２６ｆ間に位置する延出部３０とを有する。主体部２９は、ウエスト開口縁に沿って内側へ折り曲げられた折曲部３３を有する。折曲部３３は、ベースシート２５の内面に吸液構造体１５が配置された状態で、ベースシート２５の第１端縁２５ａに沿って内側へ折り曲げられ、ベースシート２５及び吸液構造体１５の肌対向面に固定される。
【００１７】
＜後ウエストシート＞
後ウエストシート２７は、後ウエスト域１２とクロッチ域１３の一部とを形成する略台形状であって、横方向Ｘへ延びる中間内端縁２７ａ及び外端縁２７ｂと、外端縁２７ｂから縦方向Ｙへ延びる両外側縁２７ｃ，２７ｄと、両外側縁２７ｃ，２７ｄと内端縁２７ａとを曲状に結ぶ両側内端縁２７ｅ，２７ｆとから形成される。後ウエストシート２７は、両外側縁２７ｃ，２７ｄ間において横方向Ｘへ延びる矩形状の主体部３４と、主体部３４よりも幅狭であって、両側内端縁２７e，２７ｆ間に位置するほぼ台形状の延出部３５とを有する。主体部３４は、ウエスト開口縁に沿って内側へ折り曲げられた折曲部３８を有する。折曲部３８は、ベースシート２５の内面に吸液構造体１５が配置された状態で、ベースシート２５の第２端縁２５ｂに沿って内側へ折り曲げられ、ベースシート２５及び吸液構造体１５の肌対向面に固定される。
【００１８】
図３〜５を参照すると、前ウエストシート２６とベースシート２５との間には、主体部２９において横方向Ｘへ延びる前ウエスト弾性体７２が伸長状態で収縮可能に取り付けられる。後ウエストシート２７とベースシート２５との間には、主体部３４において横方向Ｘへ延びる後ウエスト弾性体７４と、主体部３４から延出部３５へ湾曲状して延びる臀部対応弾性体７６とが伸長状態で収縮可能に取り付けられる。前後ウエスト域１１，１２は、各弾性体が配置されることによって、後記の弾性的に伸縮可能な前後ウエスト弾性域７１，７３と臀部弾性部７７とを有する。
【００１９】
ベースシート２５及び前後ウエストシート２６，２７としては、質量が例えば約１０〜４０ｇ／ｍ２であり、繊維密度が例えば約０．０３〜０．１０ｇ／ｃｍ３である、例えば、スパンボンド繊維不織布、ＳＭＳ（スパンボンド・メルトブローン・スパンボンド）繊維不織布、エアスルー繊維不織布、透湿性プラスチックシート、またはそれらのラミネートシートなどを用いることができる。本実施形態においては、ベースシート２５として例えば質量約１０〜１８ｇ／ｍ２、好ましくは質量約１３ｇ／ｍ２のＳＭＳ繊維不織布、前後ウエストシート２６，２７として例えば質量約１５〜２５ｇ／ｍ２、好ましくは質量約２０ｇ／ｍ２のスパンボンド繊維不織布を用いることができる。
【００２０】
また、本実施形態においては、前後ウエストシート２６，２７の外面に、オプションとして格子状のエンボス／デボス加工が施されており、凹凸のエンボス／デボス模様２８が配置される。なお、エンボス／デボス模様２８は格子状の模様に限られず、円形状等の他の模様に形成されてもよい。前後ウエストシート２６，２７の外面にエンボス／デボス加工を施すことによって、シートの柔軟性が向上し、肌触りが良好になるとともに、下着のような外観感を有することができる。また、本実施形態においては、クロッチ域１３の中央部１３Ｃがベースシート２５のみから形成されているが、複数の繊維不織布などの適宜シートから形成されていてもよい。ただし、クロッチ域１３の中央部１３Ｃが単層のシートから形成されている場合には、それが複数層から形成されている場合に比して柔軟性に優れるので、中央部１３Ｃが着用者の大腿部間に挟まれたときに身体の形状に沿って変形し易くなる。また、シャーシ１４の一部を単層のシートで形成することによって、製造コストを抑えることができる。
【００２１】
おむつ１０の各寸法（シャーシ１４の対応する寸法と同じ）について言えば、おむつ１０の縦方向Ｙにおける寸法Ｌ１は約６００〜１０００ｍｍ、横方向Ｘにおける寸法Ｗ１は約４００〜８００ｍｍ、前ウエスト域１１の前側縁部１１ａ，１１ｂの縦方向Ｙにおける寸法Ｌ２（後ウエスト域１２の後側縁部１２ａ，１２ｂの縦方向Ｙにおける寸法と同じ）は、約８０〜１５０ｍｍであることが好ましい。
【００２２】
＜吸液構造体＞
図２及び図３を参照すると、吸液構造体１５は、前端部１５Ａと、後端部１５Ｂと、前後端部１５Ａ，１５Ｂ間に位置する中央部１５Ｃとを有する。吸液構造体１５は、肌対向面側に位置し、例えば透液性を有する繊維不織布製の身体側ライナ５０と、曲状の両側縁を有する吸液性の吸収体５１と、一対のバリアカフシート５２と、防漏バックシート５３とを含む。吸収体５１は、例えば、質量約０〜５００ｇ／ｍ２のフラッフパルプと、吸収性ポリマー粒子等との混合物から形成された芯材と、芯材全体を被包するティッシュペーパ等の液吸収拡散性のコアラップシートとを含む。身体側ライナ５０とバリアカフシート５２及び防漏バックシート５３とは、吸収体５１の前端縁５１ａ及び後端縁５１ｂから、それぞれ縦方向Ｙに延出するエンドフラップ５６ａ，５６ｂを形成する。吸液構造体１５とシャーシ１４（ベースシート２５）とは、それらの対向面の少なくとも例えば一方に適宜のパターンで塗布されたホットメルト接着剤等の公知の接合手段から形成された接合域６０を介して互いに接合される。本実施形態においては、接合域６０は、縦方向Ｙにおいて離間した複数の接合部位から構成されているが、吸液構造体１５の裏面全体を接合するように連続した接合域であってもよい。
【００２３】
図２を参照すると、一対のバリアカフシート５２は、縦方向Ｙへ細長く、２つに折り畳まれて内面を互いに固定したものであって、身体側ライナ５０の肌対向面に固定された、縦方向Ｙにおいて離間対向する前固定部及び後固定部と、縦方向Ｙへ延びる近位縁部５２ｂと、近位縁部５２ｂから横方向Ｘの内側に位置する遠位縁部５２ａとを有する。バリアカフシート５２の遠位縁部５２ａ内には縦方向Ｙへ延びる第１カフ弾性体５７ａ、近位縁部５２ｂと遠位縁部５２ａとの間、すなわち、平面視において遠位縁部５２ａの横方向Ｘの外側には少なくとも一条の第２カフ弾性体５７ｂが、それぞれ、伸長状態で収縮可能に取り付けられる。第１カフ弾性体５７ａが収縮することによって、遠位縁部５２ａが身体側ライナ５０から着用者の身体側へ離間し、体液の横漏れを防止するための一対の防漏カフが形成される。防漏バックシート５３は、例えば不透液性の繊維不織布、不透液性で透湿性のプラスチックフィルム又はそれらのラミネートシートから形成されており、少なくとも吸収体５１の下面のほぼ全体を覆うように配置されており、吸液構造体１５の非肌対向面（底面）側から体液が漏れ出るのを防止する。
【００２４】
第１カフ弾性体５７ａ及び第２カフ弾性体５７ｂは、例えばストリング状またはストランド状の弾性材料から形成することができる。該弾性材料は、材料、繊度、伸長倍率を適宜設定することにより、第２カフ弾性体５７ｂの伸長応力が、第１カフ弾性体５７ａの伸長応力よりも低くなるように配置される。本実施形態においては、第１カフ弾性体５７ａは、繊度が６２０ｄｔｅｘ、伸長倍率が約３．０倍の２本の弾性材料からなり、第２カフ弾性体５７ｂは、第１カフ弾性体５７ａと同じ材料であって、繊度が４７０ｄｔｅｘ、伸長倍率が約２．７倍の２本の弾性材料からなる。第１カフ弾性体５７ａは、平面視（Ｚ方向）において、少なくとも一部が吸収体５１の存在領域と重なるように配置され、第２カフ弾性体５７ｂのうち少なくとも一条の弾性体（最も外側に位置する最外カフ弾性体５８）は、平面視において吸収体５１と重ならないように配置される。
【００２５】
＜前後ウエスト弾性域＞
図２及び図５を参照すると、前ウエスト弾性域７１は、ウエスト開口縁側において横方向Ｘへ延びる前外側弾性域７１ａと、クロッチ域１３側において横方向Ｘへ延びる前内側弾性域７１ｃと、前外側及び前内側弾性域７１ａ，７１ｃ間に位置する前中間弾性域７１ｂとを有する。後ウエスト弾性域７３は、ウエスト開口縁側において横方向Ｘへ延びる後外側弾性域７３ａと、クロッチ域１３側において横方向Ｘへ延びる後内側弾性域７３ｃと、後外側及び後内側弾性域７３ａ，７３ｃ間に位置する後中間弾性域７３ｂとを有する。
【００２６】
＜各弾性体＞
前ウエスト弾性体７２は、例えば繊度が約４５０〜１２４０ｄｔｅｘであって、収縮または弛緩された状態から約１．５〜３．５倍に伸長された例えばストリング状またはストランド状の弾性材料から形成することができる。本実施形態においては、前外側弾性域７１ａに位置する前ウエスト弾性体７２は、例えば、繊度が６２０ｄｔｅｘ、伸長倍率が約２．３倍の複数条の弾性材料からなり、縦方向Ｙに６ｍｍ間隔で離間して配置される。前中間弾性域７１ｂに位置する前ウエスト弾性体７２は、吸液構造体１５のエンドフラップ５６ａと平面視において重なるように位置し、例えば、繊度が４７０ｄｔｅｘ、伸長倍率が約２．３倍の複数条の弾性材料からなり、縦方向Ｙに約１０ｍｍ互いに離間して配置される。前内側弾性域７１ｃに位置する前ウエスト弾性体７２は、例えば、繊度が７８０ｄｔｅｘの５本の弾性材料と、繊度が６２０ｄｔｅｘの複数条の弾性材料とからなり、それぞれ伸長倍率が約２．５倍であって、縦方向Ｙに約７．５ｍｍ互いに離間して配置される。
【００２７】
後ウエスト弾性体７４は、例えば繊度が約４５０〜１２４０ｄｔｅｘであって、収縮または弛緩された状態から約１．５〜３．５倍に伸長された例えばストリング状またはストランド状の弾性材料から形成することができる。本実施形態においては、後外側弾性域７３ａに位置する後ウエスト弾性体７４は、例えば、繊度が６２０ｄｔｅｘ、伸長倍率が約２．３倍の複数条の弾性材料からなり、縦方向Ｙに６ｍｍ間隔で離間して配置される。後中間弾性域７３ｂに位置する後ウエスト弾性体７４は、少なくとも一条の弾性体が吸液構造体１５のエンドフラップ５６ｂと重なる領域に配置され、例えば、繊度が７８０ｄｔｅｘ、伸長倍率が約２．１倍の４本の弾性材料からなり、縦方向Ｙに７ｍｍ間隔で離間して配置される。後内側弾性域７３ｃに位置する後ウエスト弾性体７４は、例えば、繊度が７８０ｄｔｅｘ、伸長倍率が２．５倍の複数条の弾性材料からなり、縦方向Ｙに１５ｍｍ間隔で離間して配置される。
【００２８】
各後ウエスト弾性域７３ａ，７３ｂ，７３ｃにおける弾性体の材料、繊度、伸長倍率、離間距離を適宜設定することによって、後内側弾性域７３ｃの伸長応力を後中間弾性域７３ｂの伸長応力よりも高くすることが好ましい。具体的には、吸収体５１の横方向Ｘ外側の部位の所定幅（３０ｍｍ幅）における１７１％伸長時（最大伸長時の寸法を１００％としたときの７１％の寸法）における伸長応力は、後中間弾性域７３ｂが約２．０〜６．０Ｎ，後内側弾性域７３ｃが約３．０〜８．０Ｎであって、伸長応力の相関関係は、後内側弾性域７３ｃ＞後外側弾性域７３ａ≧後中間弾性域７３ｂである。このように、ウエスト開口２３側の弾性域７３ａの伸長応力を他の弾性域７３ｂ，７３ｃよりも高くすることによって、ウエスト開口縁部を安定的に着用者の腰回りに保持することができ、また、後中間弾性域７３ｂの伸長応力が後内側弾性域７３ｃのそれよりも低くなるように設定することによって、着用時に足先をウエスト開口２３から挿入するときに相対的にウエスト開口側の内周寸法が大きくなり、足をレッグ開口２４へ向けて挿入し易くなる。かかる効果をより発揮するためには、前ウエスト弾性域７１における伸長応力の相関関係が、後ウエスト弾性域７３の相関関係と同様に、前外側弾性域７１ａ≧前内側弾性域７１ｃ＞前中間弾性域７１ｂであることが好ましい。
【００２９】
＜臀部対応域＞
図５を参照すると、シャーシ１４は、後内側弾性域７３ｃからクロッチ域１３の一部、具体的には、クロッチ域１３における後ウエストシート２７の中間内端縁２７ａまで延びる臀部対応域７５を有する。臀部対応域７５は、横軸Ｑへ向かって凸となるように湾曲状に延びる複数条の臀部対応弾性体７６が伸長状態で収縮可能に取り付けられた臀部弾性部７７を有する。臀部弾性部７７は、臀部対応弾性体７６が吸液構造体１５と重なり、後ウエストシート２７の中間内端縁２７ａの近傍に沿って横方向Ｘに直状に延びる直状部７６ａと、臀部対応弾性体７６が吸液構造体１５と重ならならず、直状部７６ａの両側に位置する傾斜部７６ｂとを有する。
【００３０】
臀部対応弾性体７６は、例えば、繊度が約５００〜８００ｄｔｅｘであって、直状部７６ａにおける伸長倍率が約１．０〜１．５倍、傾斜部７６ｂにおける伸長倍率が約１．２〜２．５倍となるように調整して伸長された例えば複数条のストリング状またはストランド状の弾性材料から形成することができる。また、臀部弾性部７７において所定幅における直状部７６ａの伸長応力は、傾斜部７６ｂの所定幅における伸長応力よりも低くなっている。このように、直状部７６ａの伸長倍率を傾斜部７６ｂよりも低くし、かつ、直状部７６ａの伸長応力を傾斜部７６ｂの伸長応力よりも低くすることによって、吸液構造体１５の両側に位置する部分を身体に安定的にフィットさせることができるとともに、臀部対応弾性体７６の収縮作用によって吸液構造体１５が変形し、その吸液性能が阻害されるのを抑制できる。
【００３１】
前後ウエスト域１１，１２における各弾性域の縦方向Ｙの寸法は、本発明の効果を奏する限りにおいて、所定の比率となるように区分することができる。例えば、前後外側弾性域７１ａ，７３ａの縦方向Ｙにおける寸法に対して前後中間弾性域７１ｂ，７３ｂ及び前後内側弾性域７１ｃ，７３ｃの縦方向Ｙにおける寸法を１．０〜２．５倍の大きさになるように設定することや、各弾性域の縦方向Ｙにおける寸法を均等に区分することもできる。前後外側弾性域７１ａ，７３ａの縦方向Ｙの寸法は等しく設定されることが好ましい。
【００３２】
また、後ウエスト域１２においては、後側縁部１２ａ，１２ｂの内端近傍に臀部対応弾性体７６が位置することによって、後ウエスト弾性体７４のうち最もクロッチ域１３側に位置する最内側後ウエスト弾性体８０は後側縁部１２ａの内端部位８３と所与寸法離間しており、それらの縦方向Ｙにおける離間寸法Ｒ２は、前ウエスト弾性体７２のうち最もクロッチ域１３側に位置する最内側前ウエスト弾性体７９と前ウエスト域１１の前側縁部１１ａ，１１ｂの内端部分８２との縦方向Ｙにおける離間寸法Ｒ１よりも大きくなっている。すなわち、最内側前ウエスト弾性体７９は、最内側後ウエスト弾性体８０よりもレッグ開口２４側に位置している。このように、最内側前ウエスト弾性体７９が最内側後ウエスト弾性体８０よりもレッグ開口２４側に位置することによって、相対的に前ウエスト弾性域７１の幅寸法（縦方向Ｙの寸法）が後ウエスト弾性域７３の幅寸法よりも大きくなり、前方へ突出した着用者の腹部に沿って帯状に延びて安定的にフィットされる。また、レッグ開口縁部において、前側が収縮してレッグ開口２４の形状が前方へ凸となるように変形するので、足先を挿入するときにレッグ開口縁部に引っ掛かるのを抑制することができる。
【００３３】
図６は、図２の一点鎖線ＶＩで囲まれた領域の一部拡大平面図、図７は、おむつ１０の着用状態における背面側方から視た斜視図である。図６及び図７においては、吸収体５１の横方向Ｘにおける一方側に位置する臀部カバー部７８に関してのみ説明しているが、他方側に位置する臀部カバー部７８についても同様の構成を有する。図７においては、着用状態における臀部カバー部７８の態様を明らかにするための参考図を示す。
【００３４】
図６及び図７を参照すると、臀部対応域７５において吸収体５１の両側には、臀部対応弾性体７６、最内側後ウエスト弾性体８０及び第２カフ弾性体５７ｂの各弾性体、または、それら各弾性体の収縮力の作用する各弾性域によって囲まれた臀部カバー部７８が形成される。臀部カバー部７８は、着用状態において着用者の臀部８１と対向して位置し、柔軟なシート部材から形成された該領域全体が、各弾性体によって囲まれていることから、外方へ膨らんだような形態を呈する。ここで、通常の使い捨て着用物品においては、着用中の着用者の動き等によってクロッチ域１３の中央部１３Ｃが鼠蹊部に引き寄せられたり、その一部が臀裂に挟まれたりして臀部の一部が外部に露出するおそれがある。特に、前後ウエスト域１１，１２が別体のパネルから形成された、いわゆる３ピース構造のおむつにおいては、かかる事態が起こり易く、それを防止するための露出した臀部を覆う臀部シートを有するおむつは公知である。しかし、かかる臀部シートはすでに外部に露出した臀部を被覆するためのものであって、臀部の露出自体を防止するためのものではない。
【００３５】
図７（ｂ）を参照すると、本実施形態においては、臀部カバー部７８が臀部８１全体を被覆するように外方へ膨らんだような形態を呈していることから、着用者の動きによって、それを画定する臀部対応弾性体７６及び／又は第２カフ弾性体５７ｂがクロッチ域１３の中央部１３Ｃ側へ引き寄せられたりしても、図７（ｂ）の仮想線で示すように、引き寄せられた分だけ外方へ膨らんでいる部分が伸長されて臀部８１にフィットした状態となるので、後側のレッグ開口縁部が幅入りして臀部８１が露出するおそれはない。したがって、おむつ１０から臀部８１が露出することによる不快感や排泄物の漏れを防止することができる。特に、本実施形態にかかるおむつ１０では、クロッチ域１３の中央部１３Ｃが単層のシートから形成されているので、着用者の股下間に挟まれて変形し、それによって臀部対応弾性体７６が下方へ引っ張られ易く、かかる効果が発揮され得る。
【００３６】
また、通常、吸収体５１の存在領域においては、おむつが外方へ膨らんだような形態をなして外観視においておむつであることが容易に認識されうるおそれがあるところ、本実施形態においては、柔軟なシート部材からなる臀部カバー部７８が、外方へ膨らんだような形態を呈することによって、おむつの背面全体が膨らんで柔らかい下着のような印象を与えることができる。特に、本実施形態は前後ウエストシート２６，２７の外面にエンボス／デボス加工が施されてより柔軟性が向上しているので、外方へ膨らみ易くふんわりとした柔らかな印象を与えるとともに、そのエンボス／デボス模様２８によって下着のような外観を有することができる。
【００３７】
臀部カバー部７８を形成する各弾性域において、臀部弾性部７７の所定幅における伸長応力及び第２カフ弾性体５７ｂによる弾性域の所定幅における伸長応力は、後ウエスト弾性体７４のうち最もクロッチ域１３側に位置する最内側後ウエスト弾性体８０を含む後内側弾性域７３ｃの所定幅における伸長応力よりも低く設定される。具体的には、各後ウエスト弾性域７３ａ，７３ｂ，７３ｃにおいて、吸収体５１の横方向Ｘ外側の部位の所定幅（３０ｍｍ幅）における１７１％伸長時（最大伸長時の寸法を１００％としたときの７１％の寸法）における伸長応力は、後内側弾性域７３ｃが約３．０〜８．０Ｎ、臀部弾性部７７が約０．５〜５．０Ｎ、防漏カフの第２カフ弾性体５７ｂによる弾性域の所定幅における１７１％伸長時が約１．０〜５．０Ｎであって、伸長応力の相関関係は、後内側弾性域７３ｃ＞第２カフ弾性体５７ｂによる弾性域≧臀部弾性部７７である。
【００３８】
臀部を包み込むように臀部カバー部７８をふんわりと外方へ膨らませ、かつ、臀部を強く締め付けないようにするためには、それを画定する各弾性域の伸長応力が比較的に低く設定されていることが好ましいところ、着用者の腰回りを安定的に保持（ホールド）する領域では所要の伸長応力を有することが好ましい。本発明においては、各弾性域の伸長応力が前記の相関関係にあり、着用者の腰回りを保持する領域、特に、最も安定的に保持されるべき腸骨が位置する部位と当接する後内側弾性域７３ｃが所要の伸長応力を有して着用状態における、おむつのずれ下がりを効果的に防止しうる一方、他の弾性域の伸長応力がそれよりも低く設定されていることによって、締め付けによる不快感等を与えるおそれはない。
【００３９】
また、臀部対応弾性体７６の傾斜部７６ｂは、湾曲状を有することから横方向Ｘ及び縦方向Ｙ（又は全方位）に伸縮可能である。したがって、臀部対応弾性体７６が全体として直状に横方向Ｘへ延びている場合に比して、それが下方へ引っ張られて臀部カバー部７８が平らになっときに、臀部カバー部７８を着用者の臀部の形状に沿うように四方に伸長させて身体にフィットさせることができる。また、臀部カバー部７８の想定される機能として、例えば、着用者の動きによって、臀部カバー部７８を画定する第２カフ弾性体５７ｂが吸収体５１の移動に連動して伸縮したり、臀部対応弾性体７６が伸縮することによって、臀部カバー部７８が収縮、膨張を繰り返してその際に臀部対応弾性体７６によって形成されるギャザー（レッグギャザー）から外部の空気を臀部カバー部７８内に進入、退出させることによって、おむつ１０内の蒸れを防止するポンプ機能が考えられる。
【００４０】
第２カフ弾性体５７ｂは、第１カフ弾性体５７ａより伸長応力が低くなっている。第２カフ弾性体５７ｂは、それと交差する前ウエスト弾性体７２と臀部対応弾性体７６とによってレッグ開口縁部を囲繞する仮想の弾性帯を形成するところ、臀部対応弾性体７６から後方へ延びる部分は、防漏カフの起立を補助するために機能するものであって、比較的に高い伸長応力を要することはない。したがって、第１カフ弾性体５７ａは防漏カフの遠位縁部５２ａを起立させて十分な防漏機能を発揮させるための比較的に高い伸長応力を有する一方、第２カフ弾性体５７ｂは臀部カバー部７８を形成する程度の比較的に低い伸長応力を有していれば十分であって、防漏カフ全体の伸長応力が高くなり過ぎて身体を締め付けるのを抑制する。また、第２カフ弾性体５７ｂのうち、平面視において最も外側に位置する最外カフ弾性体５８は、吸収体５１の非存在域に配置されていることから吸収体５１の剛性に抗して収縮するものではないので、比較的に低い伸長応力であってもベースシート２５及び後ウエストシート２７が臀部カバー部７８を形成し得る程度に収縮させることができる。
【００４１】
臀部カバー部７８が、臀部全体を被覆する程度に外方へ膨らんだ形態をなすためには、臀部カバー部７８全体の表面積が比較的に大きいことが必要であるところ、本実施形態においては、臀部カバー部７８のうちの縦方向Ｙの寸法が他の通常用いられるおむつに比して大きいことから、比較的に大きな表面積を有する。具体的には、臀部カバー部７８の最大の縦方向Ｙの寸法（最内側後ウエスト弾性体８０と臀部対応弾性体７６の直状部７６ａとの離間寸法。図６参照。）Ｌ３が後ウエスト域１２の後側縁部１２ｂ，１２ｃの縦方向Ｙの寸法Ｌ２の約６０〜８０％の大きさを有する。
【００４２】
また、後ウエスト域１２の両側縁部において、臀部対応弾性体７６と最内側後ウエスト弾性体８０（後ウエスト弾性体７４）とは、縦方向Ｙにおいて離間しており、平面視において互いに交差してない。これらの弾性体が交差しないことによって、臀部対応弾性体７６は後ウエスト弾性体７４のウエスト周り方向への収縮作用の影響を直接的に受けることはないので、それ自体の収縮作用によってレッグ開口縁部を身体にフィットさせるとともに、その湾曲形状によって曲凸状の臀部カバー部７８を形成しうる。かかる効果を奏するために、後側縁部１２ａ，１２ｂにおける最内側後ウエスト弾性体８０と臀部対応弾性体７６との縦方向Ｙにおける離間寸法Ｒ３は、約１００〜１８０ｍｍであることが好ましい。離間寸法Ｒが約１００ｍｍ未満の場合には、弾性体８０の収縮力が臀部対応弾性体７６に影響するおそれがあり、離間寸法Ｒ３が約２００ｍｍを超える場合には、傾斜部７６ｂと弾性体８０との間に位置する非弾性領域が大きくなり着用者の胴回りに対するフィット性が低下するおそれがあるからである。
【００４３】
また、臀部対応弾性体７６間の離間寸法（ピッチ）は、後内側弾性域７３ｃにおける後ウエスト弾性体７４間の離間寸法よりも小さく設定されている。最内側後ウエスト弾性体８０を含む弾性域は、各弾性体間の離間寸法を比較的に大きくすることによって着用者の腰回りに安定的にフィットしうる幅広の帯状弾性域を形成することができ、一方、臀部弾性部７７の幅寸法を比較的に小さくすることによって、レッグ開口縁から臀部弾性部７７を所与寸法離間させることができる。
【００４４】
＜第２実施形態＞
図８は、本発明の第２実施形態に係る図５と同様のシャーシの平面図であって、吸収体５１を仮想線で示している。本実施形態に係るおむつ１０は、第１実施形態にかかるそれと基本的構成が同一であるので、相違する点についてのみ以下に説明する。
【００４５】
本実施形態においては、前ウエスト弾性域７１が平面視において吸収体５１と重なる領域には、前ウエスト弾性体７２の収縮力が実質的に発揮されていない非弾性領域９１が画定され、同様に、後ウエスト弾性域７３及び臀部弾性部７７のうちの平面視において吸収体５１と重なる領域において、各弾性体７４，７６の収縮力が実質的に発揮されていない非弾性領域９２，９３が画定されている。各非弾性領域９１〜９３が画定されることによって、各弾性体７２，７４，７６の収縮力が、吸収体５１に直接作用することにより吸収された体液の漏れを誘発するような変形が生じるのを抑制することができる。かかる効果を奏するためには、非弾性領域９１〜９３のうちの少なくとも一つが画定されていればよく、吸収体５１と重なる部分に非弾性領域が形成される弾性域以外の弾性域は、第１実施形態と同様に横方向Ｘへ連続して延在していてもよい。各非弾性領域９１〜９３は、この種の分野において公知の各種方法によって形成することでき、例えば、該領域において各弾性体を非接合とし、それを切断してカットバック（いわゆるスナップバック）させたり、若しくは該領域の弾性体を切除、又は弾性劣化処理を施すことによって形成することができる。
【００４６】
＜伸長応力の測定方法＞
前後ウエスト弾性域７１，７３の各弾性域の伸長応力は、インストロン ジャパン カンパニーリミテッド社製の引張試験機（ＩＮＳＴＲＯＮ 型式：５５６４）を用い、引張速度を１００ｍｍ／ｍｉｎに設定して、以下の方法で測定した。各弾性域のうちで吸収体と重なることのない部分について、その部分から横方向Ｘの長さが３０〜５０ｍｍの試片を切り取って、自然状態にある試片に横方向Ｘの離間寸法が２０ｍｍの一対の標線を記入し、その離間寸法が１．７倍になるまで伸長した時の各試片の伸長力を求めて、比較する。なお、各試片においてその幅寸法であるおむつ１０の縦方向Ｙの寸法が一定でない場合には、各試片についての伸長力を幅３０ｍｍである場合の値に換算したときの伸長応力によって各試片を比較する。臀部弾性部７７の傾斜部７６ｂ及び防漏カフの第２カフ弾性体５７ｂによる弾性域についても同様に測定した。なお、臀部弾性部７７では、臀部対応弾性体７６の傾斜部７６ｂに沿って幅３０ｍｍの試片を切り取って測定し、第２カフ弾性体５７ｂによる弾性域では、縦方向Ｙに沿って試片を切り取って測定した。
【００４７】
本発明の使い捨ておむつ１０を構成する各構成部材には、明細書に記載されている材料のほかに、この種の物品において通常用いられている各種公知の材料を制限なく用いることができる。また、明細書及び特許請求の範囲において、「第１」及び「第２」の用語は、同様の要素、位置等を単に区別するために用いられる。
【００４８】
以上に記載した本発明に関する開示は、少なくとも下記の事項に整理することができる。
【００４９】
着用物品１０は、縦方向Ｙ及び横方向Ｘと、肌対向面及びその反対側に位置する非肌対向面とを有し、前ウエスト域１１と、後ウエスト域１２と、前後ウエスト域１１，１２間に位置するクロッチ域１３とを画定するシャーシ１４と、シャーシ１４の前記肌対向面側に配置された吸液構造体１５と、前後ウエスト域１１，１２の両側縁部１１ａ，１２ａ，１１ｂ，１２ｂを連結して画成されるウエスト開口２３及び一対のレッグ開口２４とを含む。シャーシ１４は、後ウエスト域１２において縦方向Ｙに離間する複数条の後ウエスト弾性体７４が伸長状態で横方向Ｘへ収縮可能に取り付けられた後ウエスト弾性域７３と、後ウエスト域１２の一部とクロッチ域１３の後ウエスト域１２側の部分とによって形成された臀部対応域７５とを有する。吸液構造体１５は、横方向Ｘに離間して縦方向Ｙに延びる一対の防漏カフを含み、前記防漏カフは、吸液構造体１５に接合される近位縁部５２ｂと、吸液構造体１５から離間可能な遠位縁部５２ａと、遠位縁部５２ａにおいて伸長状態で縦方向Ｙに収縮可能に取り付けられた第１カフ弾性体５７ａと、遠位縁部５２ａより近位縁部５２ｂ側に伸長状態で縦方向Ｙに収縮可能に取り付けられた第２カフ弾性体５７ｂとを有する。臀部対応域７５は、後ウエスト域１２の後側縁部１２ａ，１２ｂの、クロッチ域に隣接する内端部間において横方向Ｘの中央部がクロッチ域１３側へ向かって湾曲状に延びて吸液構造体１５と平面視において重なる臀部対応弾性体７６と、臀部対応弾性体７６が取り付けられた臀部弾性部７７と、後ウエスト弾性体７４のうちのクロッチ域１３側に位置する最内側後ウエスト弾性体８０、臀部対応弾性体７６及び第２カフ弾性体５７ｂに囲まれた臀部カバー部７８とを有し、臀部弾性部７７の所定幅における伸長応力及び第２カフ弾性体５７ｂによる弾性域の所定幅における伸長応力は、最内側後ウエスト弾性体８０による弾性域の所定幅における伸長応力よりも低いことを特徴とする。
【００５０】
上記段落００４９に開示した本発明は、少なくとも下記の実施の態様を含むことができ、各実施の形態は、単独又は組み合わせで実施される。
（１）第２カフ弾性体５７ｂは、第１カフ弾性体５７ａよりも伸長応力が低くなるように配置される。
（２）吸液構造体１５は、吸収性コア５１を含み、少なくとも一条の第２カフ弾性体５７ｂは、平面視において、吸収性コア５１の不存在領域に配置される。
（３）臀部対応弾性体７６は、最内側後ウエスト弾性体８０と縦方向Ｙにおいて離間している。
（４）前ウエスト域１１は、複数条の前ウエスト弾性体７２が伸長状態で横方向Ｘへ収縮可能に取り付けられた前ウエスト弾性域７１を有し、前ウエスト弾性域７１のうちのクロッチ域１３側に位置する最内側前ウエスト弾性体７９は、最内側後ウエスト弾性体８０よりもレッグ開口２４側に位置する。
（５）臀部対応弾性体７６は、横方向に直状に延びる直状部７６ａと、レッグ開口２４に沿って延びる一対の傾斜部７６ｂとを有し、直状部７６ａの伸長応力が、傾斜部７６ｂの伸長応力よりも低くなるように配置される。
（６）後ウエスト域１２は、ウエスト開口２３側に位置する後外側弾性域７３ａと、クロッチ域１３側に位置し、最内側後ウエスト弾性体８０を含む後内側弾性域７３ｃと、後外側弾性域７３ａと後内側弾性域７３ｃとの間に位置する後中間弾性域７３ｂとを有し、後ウエスト弾性体７４は、後内側弾性域７３ｃの伸長応力が、後中間弾性域７３ｂの伸長応力よりも高くなるように配置される。
（７）後内側弾性域７３ｃにおいて隣接する後ウエスト弾性体７４の離間距離は、隣接する臀部対応弾性体７６の離間距離よりも大きい。
（８）吸液構造体１５は、吸収性コア５１を含み、少なくとも前後ウエスト弾性体７２，７４のいずれか一方は、吸収性コア５１と重なる領域において非連続に形成される。
（９）吸液構造体１５は、吸収性コア５１を含み、臀部対応弾性体７６は、吸収性コア５１と重なる領域において非連続に形成される。
【符号の説明】
【００５１】
１０    使い捨てのパンツ型おむつ（パンツ型の着用物品）
１１    前ウエスト域
１２    後ウエスト域
１３    クロッチ域
１４    シャーシ
１５    吸液構造体
５２ａ  遠位縁部
５２ｂ  近位縁部
５７ａ  第１カフ弾性体
５７ｂ  第２カフ弾性体
７１    前ウエスト弾性域
７２    前ウエスト弾性体
７３    後ウエスト弾性域
７４    後ウエスト弾性体
７５    臀部対応域
７６    臀部対応弾性体
７７    臀部弾性部
７８    臀部カバー部
８０    最内側後ウエスト弾性体
Ｘ      横方向
Ｙ      縦方向
【要約】
【課題】足をレッグ開口に通しやすく、臀部カバー部に膨らみを持たせて臀部を覆うことができるパンツ型の着用物品の提供。
【解決手段】着用物品（１０）は、臀部対応域（７５）と、第１カフ弾性体（５７ａ）及び第２カフ弾性体（５７ｂ）を有する一対の防漏カフを含み、前記臀部対応域は、最内側後ウエスト弾性体（８０）、臀部対応弾性体（７６）及び前記第２カフ弾性体に囲まれた臀部カバー部（７８）を有し、前記臀部弾性部の所定幅における伸長応力及び前記第２カフ弾性体による弾性域の所定幅における伸長応力は、前記最内側後ウエスト弾性体による弾性域の所定幅における伸長応力よりも低い。
【選択図】図２【図１】
0005592578.tif 000002
【図２】
0005592578.tif 000003
【図３】
0005592578.tif 000004
【図４】
0005592578.tif 000005
【図５】
0005592578.tif 000006
【図６】
0005592578.tif 000007
【図７】
0005592578.tif 000008
【図８】
0005592578.tif 000009